(57)【要約】  【課題】  本発明は印刷の出所を特定する情報を含んだ印刷物に関し、より詳細には印刷を行ったコンピュータとプリンタ、および日時を特定する情報を２次元コード化し、分割して印刷用紙の所定位置に配置した印刷物とその印刷方法、印刷プログラムに関するものである。  【解決手段】  本発明の印刷物は、文字やイメージで構成する文書データを配置した文書印刷領域と、印刷の出所を特定する情報をコード化した２次元コードを所定数に分割し、分割した２次元コードのそれぞれを配置した出所情報印刷領域とを有するよう構成する。【選択図】    図１
2008269140.tif 000002
【特許請求の範囲】
【請求項１】
印刷の出所を特定する情報を印刷した印刷物であって、
文字やイメージで構成する文書データを配置した文書印刷領域と、
前記印刷の出所を特定する情報をコード化した２次元コードを所定数に分割し、分割された２次元コードのそれぞれを配置した該所定数の出所情報印刷領域と
を有することを特徴とする印刷物。
【請求項２】
分割された前記２次元コードの前記出所情報印刷領域への配置は、該分割位置に対応付けて予め定めた該出所情報印刷領域に配置した
ことを特徴とする請求項１に記載の印刷物。
【請求項３】
前記印刷の出所を特定する情報は、印刷を指示したコンピュータのＩＤと、印刷を行ったプリンタのＩＤと日時の何れか、またはその組合せである、ことを特徴とする請求項１または請求項２に記載の印刷物。
【請求項４】
印刷の出所を特定する情報を含んで印刷する印刷方法であって、
コンピュータは、
文字やイメージで構成する文書データを文書データ記憶部に記憶する文書データ記憶手順と、
前記コンピュータのＩＤと該コンピュータに接続するプリンタのＩＤとを記憶したシステム情報記憶部と該コンピュータが備える計時部とから、該コンピュータと印刷出力するプリンタのそれぞれのＩＤと現在日時とを出所情報として取得する出所情報取得手順と、
取得した出所情報を基に２次元コードを生成する２次元コード生成手順と、
前記２次元コードを所定の数に分割し、分割した２次元コードのそれぞれを印刷用紙の所定の出所情報印刷領域に配置し、前記文書データを前記文書データ記憶部から取り出して所定の文書印刷領域に配置する印刷配置手順と、
配置された２次元コードと文書データとを前記プリンタに印刷指示する印刷指示手順と
を備えることを特徴とする印刷方法。
【請求項５】
印刷の出所を特定する情報を含んで印刷する印刷プログラムであって、
コンピュータに、
文字やイメージで構成する文書データを文書データ記憶部に記憶する文書データ記憶手順と、
前記コンピュータのＩＤと該コンピュータに接続するプリンタのＩＤとを記憶したシステム情報記憶部と該コンピュータが備える計時部とから、該コンピュータと印刷出力するプリンタのそれぞれのＩＤと現在日時とを出所情報として取得する出所情報取得手順と、
取得した出所情報を基に２次元コードを生成する２次元コード生成手順と、
前記２次元コードを所定の数に分割し、分割した２次元コードのそれぞれを印刷用紙の所定の出所情報印刷領域に配置し、前記文書データを前記文書データ記憶部から取り出して所定の文書印刷領域に配置する印刷配置手順と、
配置された２次元コードと文書データとを前記プリンタに印刷指示する印刷指示手順と
を実行させるための印刷プログラム。
【発明の詳細な説明】
【技術分野】
【０００１】
本発明は印刷の出所を特定する情報を含んだ印刷物に関し、より詳細には印刷を行ったコンピュータとプリンタ、および日時を特定する情報を２次元コード化し、分割して印刷用紙の所定位置に配置した印刷物とその印刷方法、印刷プログラムに関するものである。
【背景技術】
【０００２】
近年、顧客名簿等の流出による個人情報の漏洩が問題となっている。このため、多くの企業では内部統制やセキュリティ対策を強化しているが、それにもかかわらず依然として情報漏洩が続いており社会問題となっている。この情報漏洩の経路は、ノートＰＣや可搬型記録媒体、印刷物等の持ち出しによるもの、あるいはｅメールやＷｅｂなどネットワーク経由によるものなどがある。この中でも、印刷物による情報漏洩が約半数を占めていることが報告されている（ＮＰＯ  日本ネットワークセキュリティ協会「２００５年度情報セキュリティインシデントに関する情報報告書」）。
印刷物は最も手軽な情報伝達手段であるため、長年に渡って管理に注意が払われてきた。例えば、文書に対する機密ランクの設定やその機密ランクに対応した文書配付ルール、保管ルールの策定などである。しかしながら、これらのことを関係者に告知し徹底させたとしても故意による持ち出しに対しては無力である。
印刷物の持ち出しによるリスクを最小限に抑えるためには、できるだけ情報を印刷物にしないようにすることが最も有効である。とは言え、ある程度の印刷は必要で皆無にすることは困難である。このための一つの方法として、印刷する場合に容易に出力できない仕組みにすることが考えられる。例えば、印刷する場合に有資格者であることの認証を行い、印刷できる人を制限することなどである。さらに、仮に印刷物による情報漏洩が起ったとしても、その印刷物がどのプリンタから何日の何時に出力されものであるか、を追跡可能（トレーサビリティ）とする仕組みを設けておくも不正に印刷を行うことに対する一定の抑止力にはなる。この例として、印刷を行うと自動的に印刷物にプリンタ名と日時を印刷することが考えられる。
プリンタを特定する方法として、印刷物にプリンタ名等を印刷する方法とは異なり、簡単に識別できない特定パターンを印刷する方法が提案されている。これは、カラー印刷において、印刷するドットの画像信号のパルス列信号を生成しておいて、プリンタを特定するパターン（特定パターン）を描画する位置に対応するパルス列信号のパルス幅を変えて印刷するものである（特許文献１）。    
【特許文献１】特開２００２−７７６０４号公報
【発明の開示】
【発明が解決しようとする課題】
【０００３】
上記に述べたように、印刷物の持ち出しによる情報漏洩が問題となっており、その対策の一つに印刷するプリンタを特定することが情報漏洩の抑止力になっている。このため、印刷したプリンタや印刷日時を特定する情報を自動的に印刷するすることが考えられる。しかし、印刷したこれらの情報を改竄しようと思えばできなくはなく、確実なものとは言い難い。
特許文献１で提案された方法は、プリンタを特定する情報が文字ではなくカラー印刷の描画ドットのパルス幅を特定パターンに対応して変えるので改竄は困難で有効な技術と考える。しかし、カラー印刷に限定され、モノクロ印刷に対するものではない。
【０００４】
本発明は、モノクロ、カラーに問わずにコンピュータやプリンタ等の出所情報の改竄が困難な印刷物、印刷方法および印刷プログラムを提供することを目的とする。
【課題を解決するための手段】
【０００５】
本発明の印刷物、印刷方法および印刷プログラムは以下のように構成される。
（１）第１の発明     
第１の発明の印刷物は、文字やイメージで構成する文書データを配置した文書印刷領域と、印刷の出所を特定する情報をコード化した２次元コードを分割し、分割された２次元コードのそれぞれを所定位置に配置した出所情報印刷領域と、を有することを特徴とするものである。
（２）第２の発明
第２の発明は、第１の発明の印刷物における分割された２次元コードの出所情報印刷領域への配置は、分割位置に対応付けて予め定めた出所情報印刷領域に配置した、ことを特徴とするものである。例えば、２次元コードを四分割した場合に、左上の分割２次元コードは印刷用紙の右上に設けた出所情報印刷領域に配置し、同様に右上、左下、および右下の分割２次元コードはそれぞれ左上、右下、および左下に設けた出所情報印刷領域に配置する。
（３）第３の発明
第３の発明は、第１と第２の発明の印刷物における印刷の出所を特定する情報は、印刷を指示したコンピュータのＩＤと、印刷を行ったプリンタのＩＤと日時の何れか、またはその組合せである、ことを特徴とするものである。
（４）第４の発明
第４の発明は、第１の発明の印刷方法である。
（５）第５の発明
第５の発明は、第１の発明の印刷プログラムの発明である。
【発明の効果】
【０００６】
上述のように本発明によれば、次に示す効果が得られる。
【０００７】
第１の発明により、上記により、印刷物の出所を特定する情報を２次元コード化し、さらに分割したためそれらの情報の改竄が困難な印刷物を提供できる。
【０００８】
第２の発明により、分割した２次元コードの配置位置の出所情報印刷領域への配置を予めルール化しておくことにより、改竄はより困難となる。
【０００９】
第３の発明により、上記により、少なくとも印刷を指示したコンピュータ、または印刷を行ったプリンタまたは印刷した日時の何れかを特定できる。
【００１０】
第４の発明により、印刷の出所を特定する情報の改竄が困難な印刷方法の提供が可能である。
【００１１】
第５の発明により、これにより、印刷の出所を特定する情報の改竄が困難な印刷プログラムの提供が可能である。
【発明を実施するための最良の形態】
【００１２】
印刷物と印刷方法の実施形態を、図１から図６を用いて説明する。
【００１３】
図１は、本発明の印刷物１の例を示したもので、印刷用紙１０の略中央位置に文書印刷領域２０と印刷用紙１０の四隅の位置に４つの出所情報印刷領域３０を配置した例である。文書印刷領域２０は文書データを印刷し、出所情報印刷領域３０には印刷の出所を示す情報の２次元コードの４分割したものを印刷する。図１は、出所情報印刷領域３０を強調するため大きく描いており、例えば印刷用紙１０のＡ４サイズの２１０ミリ×２９７ミリに対して、出所情報印刷領域３０は４ミリ角程度である。
【００１４】
出所情報印刷領域３０に印刷する分割した２次元コードは、例えば図２（ａ）に示すように印刷する位置と方向とを変えている（４分割した２次元コードのパターンを１〜４で示し、その配置と方向を数字の向きで示している）。このように分割した２次元コードの配置位置と方向（印刷方向）を変えることで解読をより困難とするとともに、図２（ｂ）に示すように用紙を折り畳むことで４分割した２次元コードが一つに集まり、これを例えばＣＣＤカメラで一括して撮影して合成し復号化できるからである。即ち、図２（ｂ）の左に示す点線は点線は山折りを示し、一点鎖線が谷折りを示し、これを折り畳むと右に示すようにそれぞれの２次元コードは分割前の位置と方向が揃うようになる。
【００１５】
２次元コードとしてＱＲコード４０を用い、４分割した例を図３に示す。分割したパターン４１〜４４は、例えば前述した図２（ａ）に示す２次元コード３１〜３４に対応する。
【００１６】
図１では、出所情報印刷領域３０を印刷用紙の四隅の位置に設けたが、例えば図４に示すように最下部に設けてもよい。図４の分割した２次元コード５１〜５３は縦に３分割しており、分割２次元コード５２はミラー反転している。また、分割２次元コード５３は上下に反転している。このように分割した２次元コードの配置向きは、９０°単位の回転、あるいは上下、左右に反転することも可能である。予めルールを定めておけば、分割した２次元コードを合成する際にそのルールに基づいて分割前の状態に戻せばよい。
【００１７】
次に、図１に示す印刷物の印刷を行うコンピュータの仕組みを図５と図６を用いて説明する。図５のＬＡＮ（Local Area Network）２００には３台のコンピュータ１００〜１０２と３台のネットワークプリンタ３００〜３０１が接続されている。それぞれのコンピュータ１００〜１０２にはネットワークプリンタ３００〜３０１の何れも使えるように設定してある。
【００１８】
このような状態において、コンピュータ１００の構成を図６に示す（コンピュータ１０１およびコンピュータ１０２もコンピュータ１００と同様である）。図６において、コンピュータ１００は、全体を制御する制御部１１０、ＬＡＮ２００と接続しプリンタに制御情報と印刷データを送信する通信制御部１２０、日時を計時する計時部１３０、文書データを記憶する文書データ記憶部１４０、コンピュータ１００自身のＭＡＣアドレスや設定したプリンタのＭＡＣアドレスを記憶するシステム記憶部１５０、印刷データを記憶する印刷データ記憶部１６０および主記憶１７０上に展開した印刷プログラム１８０から構成する。
【００１９】
印刷プログラム１８０は、更に文書データ記憶手段１８１、出所情報取得手段１８２、２次元コード生成／分割手段１８３、印刷データ配置手段１８４および印刷指示手段１８５から構成する。次にこれらの個々の機能について説明する。
【００２０】
文書データ記憶手段１８１は、オペレータの印刷指示に基づいてオペレータから指示された文書データを文書データ記憶部１４０に記憶する（あるいは、文書データ記憶部１４０はオペレータが指示した文書データの記憶部であってもよい）。
【００２１】
出所情報取得手段１８２は、システム情報記憶部１５０に記憶しているコンピュータ１００自身のＭＡＣアドレスおよびオペレータが指定したプリンタ（例えばプリンタ３００）のＭＡＣアドレスを取得する。さらに、計時部１３０から現在時刻を取得する。
【００２２】
２次元コード生成／分割手段１８３は、出所情報取得手段１８２で取得したコンピュータ１００とプリンタ３００のＭＡＣアドレス、および現在時刻を所定の順序に並べ、ＱＲコードを従来技術に基づいて生成する（ＱＲコードはイメージデータとして生成される）。続いて、生成したＱＲコードを４分割する（４分割したＱＲコードのイメージデータが４つ作られることになる）。
【００２３】
印刷データ配置手段１８４では、４分割したＱＲコードのイメージデータを図２に示す出所情報印刷領域３０に図２に示す配置位置と方向で印刷データ記憶部１６０上にビットイメージの展開を行う。続いて、文書データ記憶手段１８１で記憶した文章データの１ページ分を取り出し、図２に示す文章印刷領域２０にビットイメージの展開を行う。続いて、次のページについても同様に行う。
【００２４】
印刷指示手段１８５は、印刷データ配置手段１８４が印刷データ記憶部１６０にＱＲコードと文書データのビットイメージの展開が終了したタイミングで印刷指示を行う。即ち、印刷データ記憶部１６０のデータを通信制御部１２０の制御によりＬＡＮ２００を介してプリンタ３００に送信する。
【００２５】
プリンタ３００はコンピュータ１００から送信された印刷データを受け取り印刷する。
【００２６】
本実施形態では、プリンタはネットワークプリンタの例を示したが、ローカルプリンタであっても、ネットワークプリンタとローカルプリンタが混在してもよい。
【００２７】
上記に示したように、オペレータが印刷指示を行うと、印刷プログラム１８０は自動的に文章データに加えてコンピュータと指定されたプリンタのＭＡＣアドレスおよび印刷日時からなる出所情報の２次元コードを生成し、それを分割して所定位置に印刷する。情報漏洩等の問題が起きたとき、印刷物に印刷された２次元コードを復号化することによりどのコンピュータからどのプリンタを使って何日の何時印刷されたかを特定することができる。また、出所情報を２次元コード化し、さらに分割して配置位置、方向を変えることができるので改竄は困難である。
【００２８】
上記の実施形態に関し、さらに以下の付記を開示する。
（付記１）
印刷の出所を特定する情報を印刷した印刷物であって、
文字やイメージで構成する文書データを配置した文書印刷領域と、
前記印刷の出所を特定する情報をコード化した２次元コードを所定数に分割し、分割された２次元コードのそれぞれを配置した該所定数の出所情報印刷領域と
を有することを特徴とする印刷物。
（付記２）
分割された前記２次元コードの前記出所情報印刷領域への配置は、該分割位置に対応付けて予め定めた該出所情報印刷領域に配置した
ことを特徴とする付記１に記載の印刷物。
（付記３）
前記印刷の出所を特定する情報は、印刷を指示したコンピュータのＩＤと、印刷を行ったプリンタのＩＤと日時の何れか、またはその組合せである、ことを特徴とする付記１または付記２に記載の印刷物。
（付記４）
印刷の出所を特定する情報を含んで印刷する印刷方法であって、
コンピュータは、
文字やイメージで構成する文書データを文書データ記憶部に記憶する文書データ記憶手順と、
前記コンピュータのＩＤと該コンピュータに接続するプリンタのＩＤとを記憶したシステム情報記憶部と該コンピュータが備える計時部とから、該コンピュータと印刷出力するプリンタのそれぞれのＩＤと現在日時とを出所情報として取得する出所情報取得手順と、
取得した出所情報を基に２次元コードを生成する２次元コード生成手順と、
前記２次元コードを所定の数に分割し、分割した２次元コードのそれぞれを印刷用紙の所定の出所情報印刷領域に配置し、前記文書データを前記文書データ記憶部から取り出して所定の文書印刷領域に配置する印刷配置手順と、
配置された２次元コードと文書データとを前記プリンタに印刷指示する印刷指示手順と
を備えることを特徴とする印刷方法。
（付記５）
印刷の出所を特定する情報を含んで印刷する印刷プログラムであって、
コンピュータに、
文字やイメージで構成する文書データを文書データ記憶部に記憶する文書データ記憶手順と、
前記コンピュータのＩＤと該コンピュータに接続するプリンタのＩＤとを記憶したシステム情報記憶部と該コンピュータが備える計時部とから、該コンピュータと印刷出力するプリンタのそれぞれのＩＤと現在日時とを出所情報として取得する出所情報取得手順と、
取得した出所情報を基に２次元コードを生成する２次元コード生成手順と、
前記２次元コードを所定の数に分割し、分割した２次元コードのそれぞれを印刷用紙の所定の出所情報印刷領域に配置し、前記文書データを前記文書データ記憶部から取り出して所定の文書印刷領域に配置する印刷配置手順と、
配置された２次元コードと文書データとを前記プリンタに印刷指示する印刷指示手順と
を実行させるための印刷プログラム。
（付記６）
前記コンピュータと前記プリンタのＩＤはＭＡＣアドレスである
ことを特徴とする付記１乃至付記３に記載の印刷物。
（付記７）
分割された前記２次元コードの前記出所情報印刷領域への配置は、該分割位置に対応付けて予め定めた向きで該出所情報印刷領域に配置した
ことを特徴とする付記１に記載の印刷物。
【図面の簡単な説明】
【００２９】
【図１】文書印刷領域と出所情報印刷領域の配置例である。
【図２】２次元コードの配置と復元例である。
【図３】ＱＲコードパターンの４分割例である。
【図４】出所情報印刷領域の配置例である。
【図５】ネットワーク上に接続したコンピュータと印刷装置である。
【図６】コンピュータの構成例である。
【符号の説明】
【００３０】
１      印刷物
２      印刷物
１０    印刷用紙
２０    文書印刷領域
３０    出所情報印刷領域
３１    ４分割した２次元コード
３２    ４分割した２次元コード
３３    ４分割した２次元コード
３４    ４分割した２次元コード
４０    ＱＲコード
４１    ４分割したＱＲコード
４２    ４分割したＱＲコード
４３    ４分割したＱＲコード
４４    ４分割したＱＲコード
１００  コンピュータ
１０１  コンピュータ
１０２  コンピュータ
１１０  制御部
１２０  通信制御部
１３０  計時部
１４０  文書データ記憶部
１５０  システム情報記憶部
１６０  印刷データ記憶部
１７０  主記憶部
１８０  印刷プログラム
１８１  文書データ記憶手段
１８２  出所情報取得手段
１８３  ２次元コード生成／分割手段
１８４  印刷データ配置手段
１８５  印刷指示手段
２００  ＬＡＮ
３００  ネットワークプリンタ
３０１  ネットワークプリンタ
３０２  ネットワークプリンタ
【図１】
2008269140.tif 000003
【図２】
2008269140.tif 000004
【図３】
2008269140.tif 000005
【図４】
2008269140.tif 000006
【図５】
2008269140.tif 000007
【図６】
2008269140.tif 000008